(57)【要約】      （修正有）【課題】籾殻を連続的に燃焼させることができる燃焼装置を提供する。【解決手段】籾殻の燃焼装置Ｆは，内部に籾殻１０を収納する収納部１１を有する本体１と、収納部１１の下方から籾殻１０を供給する供給手段と、本体１内に垂下するように回転自在に取り付けられ先端が収納部１１内に位置する回転体４と、この回転体４の収納部１１に臨む外側に設けられた複数の開口部４ａと、この回転体４の内部に設けられると共に複数の開口部４ａに連通する空気通路４３と、この空気通路４３内に空気を供給する空気供給手段４４とを備え、回転体４に取り付けられ収納部１１に収納された籾殻１０の上面からの燃焼による燃焼カスを収納部１１から下方へ落とす排出回転羽根５と、本体１内に設けられ排出回転羽根５により収納部１１から下方へ落とされた前記燃焼カスを下方へ導く通路６と、この通路６を介して導かれた前記燃焼カスを本体１の外へ排出する排出通路とを備える。【選択図】図３
2018028427.tif 000002
【特許請求の範囲】
【請求項１】
内部に籾殻を収納する収納部を有する本体と、
前記収納部の下方から前記籾殻を供給する供給手段と、
前記本体内に垂下するように回転自在に取り付けられ、先端が前記収納部内に位置する回転体と、
この回転体の前記収納部に臨む外側に設けられた複数の開口部と、
前記回転体の内部に設けられると共に、前記複数の開口部に連通する空気通路と、      この空気通路内に空気を供給する空気供給手段とを備え、
前記回転体に取り付けられ、前記収納部に収納された前記籾殻の上面からの燃焼による燃焼カスを前記収納部から下方へ落とす排出回転羽根と、
前記本体内に設けられ、前記排出回転羽根により前記収納部から下方へ落とされた前記燃焼カスを下方へ導く通路と、
この通路を介して導かれた前記燃焼カスを前記本体の外へ排出する排出通路とを備えている
ことを特徴とする籾殻の燃焼装置。
【請求項２】
排出回転羽根に目詰まり防止部材を接続し、この目詰まり防止部材を通路内に位置させる
ことを特徴とする請求項１記載の籾殻の燃焼装置。
【請求項３】
収納部に下方から逐次供給する籾殻を前記籾殻の上面から燃焼する籾殻の燃焼方法であって、
前記上面からの燃焼による燃焼カスを排出回転羽根で前記収納部から前記収納部の外へ排出して連続的に籾殻を燃焼させる
ことを特徴とする籾殻の燃焼方法。
【請求項４】
排出回転羽根に目詰まり防止部材を接続し、この目詰まり防止部材を通路内に位置させる
ことを特徴とする請求項３記載の籾殻の燃焼方法。
【請求項５】
内部に廃棄物を収納する収納部を有する本体と、
前記収納部の下方から前記廃棄物を供給する供給手段と、
前記本体内に垂下するように回転自在に取り付けられ、先端が前記収納部内に位置する回転体と、
この回転体の前記収納部に臨む外側に設けられた複数の開口部と、
前記回転体の内部に設けられると共に、前記複数の開口部に連通する空気通路と、      この空気通路内に空気を供給する空気供給手段とを備え、
前記回転体に取り付けられ、前記収納部に収納された前記廃棄物の上面からの燃焼による燃焼カスを前記収納部から下方へ落とす排出回転羽根と、
前記本体内に設けられ、前記排出回転羽根により前記収納部から下方へ落とされた前記燃焼カスを下方へ導く通路と、
この通路を介して導かれた前記燃焼カスを前記本体の外へ排出する排出通路とを備えている
ことを特徴とする廃棄物の燃焼装置。
【請求項６】
排出回転羽根に目詰まり防止部材を接続し、この目詰まり防止部材を通路内に位置させる
ことを特徴とする請求項５記載の廃棄物の燃焼装置。
【請求項７】
収納部に下方から逐次供給する廃棄物を前記廃棄物の上面から燃焼する廃棄物の燃焼方法であって、
前記上面からの燃焼による燃焼カスを排出回転羽根で前記収納部から前記収納部の外へ排出して連続的に廃棄物を燃焼させる
ことを特徴とする廃棄物の燃焼方法。
【請求項８】
排出回転羽根に目詰まり防止部材を接続し、この目詰まり防止部材を通路内に位置させる
ことを特徴とする請求項７記載の廃棄物の燃焼方法。
【請求項９】
通路は、上面が開口すると共に、収納部と該収納部の外側を覆う覆い部材との間に形成された隙間であり、
回転体に連通するように空気吐出パイプが取り付けられ、
前記空気吐出パイプの先端が前記通路内に臨むように位置している
ことを特徴とする請求項５記載の廃棄物の燃焼装置。
【請求項１０】
通路は、上面が開口すると共に、収納部と該収納部の外側を覆う覆い部材との間に形成された隙間であり、
前記通路の出口側は前記通路の入口側に比べ、勾配が緩やかに形成されて、
燃焼カスが前記通路の出口側から搬出通路に導かれている
ことを特徴とする請求項５記載の廃棄物の燃焼装置。
【発明の詳細な説明】
【技術分野】
【０００１】
本発明は、籾殻の燃焼装置、廃棄物の燃焼装置、籾殻の燃焼方法及び廃棄物の燃焼方法に係り、特に、籾殻等の廃棄物を連続的に燃焼させることができる籾殻の燃焼装置、廃棄物の燃焼装置、籾殻の燃焼方法及び廃棄物の燃焼方法に関する。
【背景技術】
【０００２】
本件発明者は廃棄物、例えば、籾殻を燃焼処理する手段を種々試みた。
【発明の概要】
【発明が解決しようとする課題】
【０００３】
しかしながら、籾殻を燃焼によって処理することができないという問題点をあった。
【０００４】
本発明は、上記の問題点を考慮してなされたもので、籾殻等の廃棄物を連続的に燃焼させることができる籾殻の燃焼装置、廃棄物の燃焼装置、籾殻の燃焼方法及び廃棄物の燃焼方法を提供することを目的とする。
【課題を解決するための手段】
【０００５】
請求項１記載の籾殻の燃焼装置は、内部に籾殻を収納する収納部を有する本体と、前記収納部の下方から前記籾殻を供給する供給手段と、前記本体内に垂下するように回転自在に取り付けられ、先端が前記収納部内に位置する回転体と、この回転体の前記収納部に臨む外側に設けられた複数の開口部と、この回転体の内部に設けられると共に、前記複数の開口部に連通する空気通路と、この空気通路内に空気を供給する空気供給手段とを備え、前記回転体に取り付けられ、前記収納部に収納された前記籾殻の上面からの燃焼による燃焼カスを前記収納部から下方へ落とす排出回転羽根と、前記本体内に設けられ、前記排出回転羽根により前記収納部から下方へ落とされた前記燃焼カスを下方へ導く通路と、この通路を介して導かれた前記燃焼カスを前記本体の外へ排出する排出通路とを備えているものである。
【０００６】
また、請求項２記載の籾殻の燃焼装置は、請求項１記載の籾殻の燃焼装置において、排出回転羽根に目詰まり防止部材を接続し、この目詰まり防止部材を通路内に位置させるものである。
【０００７】
また、請求項３記載の籾殻の燃焼方法は、収納部に下方から逐次供給する籾殻を前記籾殻の上面から燃焼する籾殻の燃焼方法であって、前記上面からの燃焼による燃焼カスを排出回転羽根で前記収納部から前記収納部の外へ排出して連続的に籾殻を燃焼させるものである。
【０００８】
また、請求項４記載の籾殻の燃焼方法は、請求項３記載の籾殻の燃焼方法において、排出回転羽根に目詰まり防止部材を接続し、この目詰まり防止部材を通路内に位置させるものである。
【０００９】
また、請求項５記載の廃棄物の燃焼装置は、内部に廃棄物を収納する収納部を有する本体と、前記収納部の下方から前記廃棄物を供給する供給手段と、前記本体内に垂下するように回転自在に取り付けられ、先端が前記収納部内に位置する回転体と、この回転体の前記収納部に臨む外側に設けられた複数の開口部と、前記回転体の内部に設けられると共に、前記複数の開口部に連通する空気通路と、この空気通路内に空気を供給する空気供給手段とを備え、前記回転体に取り付けられ、前記収納部に収納された前記廃棄物の上面からの燃焼による燃焼カスを前記収納部から下方へ落とす排出回転羽根と、前記本体内に設けられ、前記排出回転羽根により前記収納部から下方へ落とされた前記燃焼カスを下方へ導く通路と、この通路を介して導かれた前記燃焼カスを前記本体の外へ排出する排出通路とを備えているものである。
【００１０】
また、請求項６記載の廃棄物の燃焼装置は、請求項５記載の廃棄物の燃焼装置において、排出回転羽根に目詰まり防止部材を接続し、この目詰まり防止部材を通路内に位置させるものである。
【００１１】
また、請求項７記載の廃棄物の燃焼方法は、収納部に下方から逐次供給する廃棄物を前記廃棄物の上面から燃焼する廃棄物の燃焼方法であって、前記上面からの燃焼による燃焼カスを排出回転羽根で前記収納部から前記収納部の外へ排出して連続的に廃棄物を燃焼させるものである。
【００１２】
また、請求項８記載の廃棄物の燃焼方法は、請求項７記載の廃棄物の燃焼方法において、排出回転羽根に目詰まり防止部材を接続し、この目詰まり防止部材を通路内に位置させるものである。
【００１３】
また、請求項９記載の廃棄物の燃焼方法は、請求項５記載の廃棄物の燃焼装置において、通路は、上面が開口すると共に、収納部と該収納部の外側を覆う覆い部材との間に形成された隙間であり、回転体に連通するように空気吐出パイプが取り付けられ、前記空気吐出パイプの先端が前記通路内に臨むように位置しているものである。
【００１４】
また、請求項１０記載の廃棄物の燃焼方法は、請求項５記載の廃棄物の燃焼装置において、通路は、上面が開口すると共に、収納部と該収納部の外側を覆う覆い部材との間に形成された隙間であり、前記通路の出口側は前記通路の入口側に比べ、勾配が緩やかに形成されて、燃焼カスが前記通路の出口側から搬出通路に導かれているものである。
【発明の効果】
【００１５】
請求項１記載の籾殻の燃焼装置によれば、内部に籾殻を収納する収納部を有する本体と、前記収納部の下方から前記籾殻を供給する供給手段と、前記本体に垂下するように回転自在に取り付けられ、先端が前記収納部内に位置する回転体と、この回転体の前記収納部に臨む外側に設けられた複数の開口部と、この回転体の内部に設けられると共に、前記複数の開口部に連通する空気通路と、この空気通路内に空気を供給する空気供給手段とを備え、前記回転体に取り付けられ、前記収納部に収納された前記籾殻の上面からの燃焼による燃焼カスを前記収納部から下方へ落とす排出回転羽根と、前記本体内に設けられ、前記排出回転羽根により前記収納部から下方へ導かれた前記燃焼カスを受け入れ、導く通路と、この通路を介して導かれた前記燃焼カスを前記本体の外へ排出する排出通路とを備えているため、つまり、収納部に下方から逐次供給する籾殻を前記籾殻の上面から燃焼する籾殻の燃焼装置であって、前記上面からの燃焼による燃焼カスを排出回転羽根で前記収納部から前記収納部の外へ排出して、籾殻を連続的に燃焼させることができる。
【００１６】
また、請求項２記載の籾殻の燃焼装置によれば、上述の請求項１記載の発明の効果に加え、排出回転羽根に目詰まり防止部材を接続し、この目詰まり防止部材を通路内に位置させるため、通路内へ燃焼カスが詰まるのを防ぐことができる。
【００１７】
また、請求項３記載の籾殻の燃焼方法によれば、収納部に下方から逐次供給する籾殻を前記籾殻の上面から燃焼する籾殻の燃焼方法であって、前記上面からの燃焼による燃焼カスを排出回転羽根で前記収納部から前記収納部の外へ排出するため、籾殻を連続的に燃焼させることができる。
【００１８】
また、請求項４記載の籾殻の燃焼方法によれば、上述の請求項３記載の発明の効果に加え、排出回転羽根に目詰まり防止部材を接続し、この目詰まり防止部材を通路内に位置させるため、通路内へ燃焼カスが詰まるのを防ぐことができる。
【００１９】
また、請求項５記載の廃棄物の燃焼装置によれば、内部に籾殻を収納する収納部を有する本体と、前記収納部の下方から前記廃棄物を供給する供給手段と、前記本体に垂下するように回転自在に取り付けられ、先端が前記収納部内に位置する回転体と、この回転体の前記収納部に臨む外側に設けられた複数の開口部と、この回転体の内部に設けられると共に、前記複数の開口部に連通する空気通路と、この空気通路内に空気を供給する空気供給手段とを備え、前記回転体に取り付けられ、前記収納部に収納された前記廃棄物の上面からの燃焼による燃焼カスを前記収納部から下方へ落とす排出回転羽根と、前記本体内に設けられ、前記排出回転羽根により前記収納部から下方へ導かれた前記燃焼カスを受け入れ、導く通路と、この通路を介して導かれた前記燃焼カスを前記本体の外へ排出する排出通路とを備えているため、つまり、収納部に下方から逐次供給する廃棄物を前記廃棄物の上面から燃焼する廃棄物の燃焼装置であって、前記上面からの燃焼による燃焼カスを排出回転羽根で前記収納部から前記収納部の外へ排出して、廃棄物を連続的に燃焼させることができる。
【００２０】
また、請求項６記載の廃棄物の燃焼装置によれば、上述の請求項５記載の発明の効果に加え、排出回転羽根に目詰まり防止部材を接続し、この目詰まり防止部材を通路内に位置させるため、通路内へ燃焼カスが詰まるのを防ぐことができる。
【００２１】
また、請求項７記載の廃棄物の燃焼方法によれば、収納部に下方から逐次供給する廃棄物を前記廃棄物の上面から燃焼する廃棄物の燃焼方法であって、前記上面からの燃焼による燃焼カスを排出回転羽根で前記収納部から前記収納部の外へ排出するため、廃棄物を連続的に燃焼させることができる。
【００２２】
また、請求項８記載の廃棄物の燃焼方法によれば、上述の請求項７記載の発明の効果に加え、排出回転羽根に目詰まり防止部材を接続し、この目詰まり防止部材を通路内に位置させるため、通路内へ燃焼カスが詰まるのを防ぐことができる。
【００２３】
また、請求項９の廃棄物の燃焼装置によれば、上述した請求項５記載の発明の効果に加え、通路は、上面が開口すると共に、収納部と該収納部の外側を覆う覆い部材との間に形成された隙間であり、回転体に連通するように空気吐出パイプが取り付けられ、前記空気吐出パイプの先端が前記通路内に臨むように位置しているため、空気吐出パイプの先端
からの空気圧により、燃焼カスが通路内で詰まるのを防ぐことができる。
【００２４】
また、請求項１０の廃棄物の燃焼装置によれば、上述した請求項５記載の発明の効果に加え、通路は、上面が開口すると共に、収納部と該収納部の外側を覆う覆い部材との間に形成された隙間であり、前記通路の出口側は前記通路の入口側に比べ、勾配が緩やかに形成されているため、燃焼カスが通路の出口側で詰まるのを防ぐことができる。
【図面の簡単な説明】
【００２５】
【図１】図１は、本発明の一実施例の廃棄物の燃焼装置（籾殻の燃焼装置）を組み込んだ装置の概略的正面一部断面図である。
【図２】図２は、図１の概略的平面図である。
【図３】図３は、図１の一部である廃棄物の燃焼装置（籾殻の燃焼装置）の概略的正面一部断面図である。
【図４】図４は、図３の概略的平面図である。
【図５】図５（ａ）（ｂ）（ｃ）は、図３の排出回転羽根、目詰まり防止部材の作用を説明するための概略的断面図である。
【図６】図６は、図１と異なる他の実施例の概略的正面一部断面図である。
【発明を実施するための形態】
【００２６】
本発明の一実施例の籾殻の燃焼装置、廃棄物の燃焼装置、籾殻の燃焼方法及び廃棄物の燃焼方法を図面（図１乃至図５）を参照して説明する。
【００２７】
図３に示すＦは廃棄物の燃焼装置（例えば、籾殻の燃焼装置）で、廃棄物の燃焼装置（例えば、籾殻の燃焼装置）Ｆは、内部に廃棄物（例えば、籾殻）１０を収納する収納部１１を有する本体１を備えている。廃棄物１０は、籾殻以外に、剪定枝を粉砕したもの、枯れ草を粉砕したもの、剪定枝及び枯れ草を粉砕したもの、家畜の糞尿を乾燥したもの等がある。
収納部１１は、例えば、略逆円錐台形状をなし、上部が開放され、内壁面１１ａは耐火性を有している。
図２に示す２は、収納部１１の下方から廃棄物（例えば、籾殻）を供給する供給手段で、供給手段２は、例えば、ホッパー３内の廃棄物（例えば、籾殻）をスクリューコンベヤー２１で、接続通路２２を介して収納部１１の下方から廃棄物（例えば、籾殻）を供給する。
接続通路２２は、ホッパー３と収納部１１の下方を接続するもので、内部にスクリューコンベヤー２１が設けられている。
【００２８】
また、図３に示す４は、本体１内を垂下するように回転自在に取り付けられ、先端が収納部１１内に位置する回転体で、回転体４は、ギヤ−モータ４０により駆動されるチェーン４１により回転するスプロケット４２によって回転するようになっている。
回転体４の収納部１１に臨む外側に複数の開口部４ａが設けられ、回転体４の内部には空気通路４３が設けられ、空気通路４３は複数の開口部４ａに連通するようになっている。
また、図３に示す４４は空気通路４３内に空気を供給する空気供給手段で、例えば、空気を吸引ファンによって空気通路４３内に供給している。４４Ａはエアーチャンバーで、エアーチャンバー４４Ａを介して空気を回転体４内の空気通路４３内に導くようにしている。また、空気供給手段４４による送風通路Ｐは、中途で分岐し、送風通路Ｐ１はエアーチャンバー４４Ａ内へ、送風通路Ｐ２は収納部１１内へ、それぞれ導かれるようになっている。また、図３に示す５０は、収納部１１を支持する支持部材である。なお、図５においては、送風通路Ｐ２、支持部材５０は、省略している。
【００２９】
また、図３に示す５は、回転体４に取り付けられ、収納部１１に収納された廃棄物（例えば、籾殻）の上面からの燃焼による燃焼カスを収納部１１から下方へ落とす排出回転羽根で、排出回転羽根５は、例えば、図４に示すように、複数設けられ、ゆっくりと、例えば、１分間に３〜４回程度、回転している。
また、図３に示す６は、本体１内に設けられ、排出回転羽根５により収納部１１から下方へ落とされた燃焼カスを下方へ導く通路で、通路６は、収納部１１の外側に設けられ、通路６の上端面は開放している。そして、通路６内には、目詰まり防止部材７が位置し、目詰まり防止部材（例えば、チェーン、棒状部材等）７は、排出回転羽根５に接続され、排出回転羽根５の回転により回転して、通路６内へ燃焼カスが詰まるのを防ぐようにしている。
【００３０】
また、図２に示す８は、通路６を介して導かれた燃焼カス（廃棄物が籾殻の場合、籾殻を低温で完全燃焼して生じる燃焼カスは、非晶質で溶解性が高く、重金属など有害物質をほとんど含まず、ケイ酸質肥料となる。）を本体１の外へ排出する排出通路で、排出通路８内には、スクリューコンベヤー８１が設けられ、燃焼カスは排出通路８に設けられた
排出口８０を介して排出通路８内に取り入れられ、スクリューコンベヤー８１によって、本体１の外へと排出するようになっている。
１００はクリンカー（焼塊）を本体１の外へ排出するクリンカー排出通路で、クリンカー排出通路１００内には、スクリューコンベヤー１０１が設けられている。１００ａは、クリンカー排出通路１００の排出口である。
図３に示す１０２は、バーナーで、バーナー１０２は、廃棄物（例えば、籾殻）１０を着火するもので、着火後は、通路１０３を介して燃焼している廃棄物（例えば、籾殻）１０へ空気を送るようにしている。
なお、本体１内の燃焼ガスは、第１の排気ダクト９１、ボイラ９２、第２の排気ダクト９３、サイクロン９４、第３の排気ダクト９５を介して外気へ放出するようにしている。
【００３１】
従って、廃棄物の燃焼装置（籾殻の燃焼装置）Ｆ［廃棄物の燃焼方法、籾殻の燃焼方法］によれば、内部に籾殻を収納する収納部１１を有する本体１と、収納部１１の下方から廃棄物（例えば、籾殻）１０を供給する供給手段２と、本体１内に垂下するように回転自在に取り付けられ、先端が収納部１１内に位置する回転体４と、この回転体４の収納部１１に臨む外側に設けられた複数の開口部４ａと、この回転体４の内部に設けられると共に、複数の開口部４ａに連通する空気通路４３と、この空気通路４３内に空気を供給する空気供給手段４４とを備え、回転体４に取り付けられ、収納部１１に収納された廃棄物（例えば、籾殻）１０の上面からの燃焼による燃焼カスを収納部１１から下方へ落とす排出回転羽根５と、本体１内に設けられ、排出回転羽根５により収納部１１から下方へ落とされた前記燃焼カスを下方へ導く通路６と、この通路６を介して導かれた前記燃焼カスを本体１の外へ排出する排出通路８とを備えているため、つまり、収納部１１に下方から逐次供給する廃棄物（例えば、籾殻）１０を廃棄物（例えば、籾殻）１０の上面から燃焼する廃棄物（例えば、籾殻）１０の燃焼装置Ｆであって、前記上面からの燃焼による燃焼カスを排出回転羽根５で収納部１１から収納部１１の外へ排出して、廃棄物（例えば、籾殻）１０を連続的に燃焼させることができる。
【００３２】
なお、上述した実施例においては、通路６内に目詰まり防止部材７（図５参照）を位置させて、燃焼カスが通路６内で詰まるのを防ぐようにしたが、本願発明にあっては、これに限らず、図６に示すようにしても良い。
即ち、通路６は、上面が開口すると共に、収納部１１と該収納部１１の外側を覆う覆い部材６’との間に形成された隙間であり、回転体４に連通するように空気吐出パイプ７Ａが取り付けられ、空気吐出パイプ７Ａの先端が通路６内に臨むように位置させるようにする。
その結果、空気吐出パイプ７Ａの先端からの空気圧（空気は、回転体４内の空気通路４３、排出回転羽根５の通路５１を通って空気吐出パイプ７Ａに導かれる。）により、燃焼カスが通路６内で詰まるのを防ぐことができる。
また、図６に示すように、通路６の出口側（出口側の角度をＸ）は通路６の入口側（入口側の角度をＹ）に比べ、勾配が緩やかに形成されて（Ｘ＞Ｙ）、燃焼カスが通路６の出口側から搬出通路８０に導かれるようにしても良い。
その結果、燃焼カスが通路６の出口側で詰まるのを防ぐことができる。
なお、図６においても、上述の実施例と同様、収納部１１の下方から廃棄物（例えば、籾殻）１０を供給する供給手段２により接続通路２２を介して収納部１１の下方から廃棄物（例えば、籾殻）１０を供給し、本体１内の燃焼ガスは、第１の排気ダクト９１、ボイラ９２、第２の排気ダクト９３、サイクロン９４、第３の排気ダクト９５を介して外気へ放出するようにしている。図６においては、供給手段２、ホッパー３、スクリューコンベヤー２１、接続通路２２、第１の排気ダクト９１、ボイラ９２、第２の排気ダクト９３、サイクロン９４、第３の排気ダクト９５を省略している。
【符号の説明】
【００３３】
Ｆ      廃棄物の燃焼装置（籾殻の燃焼装置）
１      本体
２      供給手段
４      回転体
５      排出回転羽根
６      通路
８      排出通路
１０    廃棄物（籾殻）
４ａ    開口部
１１    収納部
４３    空気通路
４４    空気供給手段
【図１】
2018028427.tif 000003
【図２】
2018028427.tif 000004
【図３】
2018028427.tif 000005
【図４】
2018028427.tif 000006
【図５】
2018028427.tif 000007
【図６】
2018028427.tif 000008
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
内部に廃棄物を収納する収納部を有する本体と、
前記収納部の下方から前記廃棄物を供給する供給手段と、
前記本体内に垂下するように回転自在に取り付けられ、先端が前記収納部内に位置する回転体と、
この回転体の前記収納部に臨む外側に設けられた複数の開口部と、
前記回転体の内部に設けられると共に、前記複数の開口部に連通する空気通路と、      この空気通路内に空気を供給する空気供給手段とを備え、
前記回転体に取り付けられ、前記収納部に収納された前記廃棄物の上面からの燃焼による燃焼カスを前記収納部から下方へ落とす排出回転羽根と、
前記本体内に設けられ、前記排出回転羽根により前記収納部から下方へ落とされた前記燃焼カスを下方へ導く通路と、
この通路を介して導かれた前記燃焼カスを前記本体の外へ排出する排出通路とを備え、
前記排出回転羽根に目詰まり防止部材を接続し、この目詰まり防止部材を通路内に位置させる
ことを特徴とする廃棄物の燃焼装置。
【請求項２】
収納部に下方から逐次供給する廃棄物を前記廃棄物の上面から燃焼する廃棄物の燃焼方法であって、
前記上面からの燃焼による燃焼カスを排出回転羽根で前記収納部から前記収納部の外へ排出して連続的に廃棄物を燃焼させるものであり、
前記排出回転羽根に目詰まり防止部材を接続し、この目詰まり防止部材を通路内に位置させる
ことを特徴とする廃棄物の燃焼方法。
【請求項３】
内部に廃棄物を収納する収納部を有する本体と、
前記収納部の下方から前記廃棄物を供給する供給手段と、
前記本体内に垂下するように回転自在に取り付けられ、先端が前記収納部内に位置する回転体と、
この回転体の前記収納部に臨む外側に設けられた複数の開口部と、
前記回転体の内部に設けられると共に、前記複数の開口部に連通する空気通路と、      この空気通路内に空気を供給する空気供給手段と、
前記回転体に取り付けられ、前記収納部に収納された前記廃棄物の上面からの燃焼による燃焼カスを前記収納部から下方へ落とす排出回転羽根と、
前記本体内に設けられ、前記排出回転羽根により前記収納部から下方へ落とされた前記燃焼カスを下方へ導く通路と、
この通路を介して導かれた前記燃焼カスを前記本体の外へ排出する排出通路とを備え、
前記収納部は下方に行くにつれて縮小する形状であり、
前記通路は上面が開口し、前記収納部の外側を覆うと共に、前記収納部に沿う覆い部材との間に形成された隙間であり、
燃焼カスが前記通路の出口側から搬出通路に導かれ、前記搬出通路は前記通路の下に位置している
ことを特徴とする廃棄物の燃焼装置。
【請求項４】
内部に廃棄物を収納する収納部を有する本体と、
前記収納部の下方から前記廃棄物を供給する供給手段と、
前記本体内に垂下するように回転自在に取り付けられ、先端が前記収納部内に位置する回転体と、
この回転体の前記収納部に臨む外側に設けられた複数の開口部と、
前記回転体の内部に設けられると共に、前記複数の開口部に連通する空気通路と、      この空気通路内に空気を供給する空気供給手段と、
前記回転体に取り付けられ、前記収納部に収納された前記廃棄物の上面からの燃焼による燃焼カスを前記収納部から下方へ落とす排出回転羽根と、
前記本体内に設けられ、前記排出回転羽根により前記収納部から下方へ落とされた前記燃焼カスを下方へ導く通路と、
この通路を介して導かれた前記燃焼カスを前記本体の外へ排出する排出通路とを備え、
前記通路は、上面が開口すると共に、前記収納部と該収納部の外側を覆う覆い部材との間に形成された隙間であり、
前記搬出通路は前記通路の下に位置し、 前記通路の出口側は前記通路の入口側に比べ、勾配が緩やかに形成されて、
燃焼カスが前記通路の出口側から搬出通路に導かれている
ことを特徴とする廃棄物の燃焼装置。
【請求項５】
内部に廃棄物を収納する収納部を有する本体と、
前記収納部の下方から前記廃棄物を供給する供給手段と、
前記本体内に垂下するように回転自在に取り付けられ、先端が前記収納部内に位置する回転体と、
この回転体の前記収納部に臨む外側に設けられた複数の開口部と、
前記回転体の内部に設けられると共に、前記複数の開口部に連通する空気通路と、      この空気通路内に空気を供給する空気供給手段と、
前記回転体に取り付けられ、前記収納部に収納された前記廃棄物の上面からの燃焼による燃焼カスを前記収納部から下方へ落とす排出回転羽根と、
前記本体内に設けられ、前記排出回転羽根により前記収納部から下方へ落とされた前記燃焼カスを下方へ導く通路と、
この通路を介して導かれた前記燃焼カスを前記本体の外へ排出する排出通路とを備え、
前記排出回転羽根は、前記収納部の上端縁より上方にあって、
前記収納部の上端縁の外側に、前記通路の上面の開口部が位置している
ことを特徴とする廃棄物の燃焼装置。
【手続補正３】
【補正対象書類名】明細書
【補正対象項目名】０００５
【補正方法】変更
【補正の内容】
【０００５】
請求項１記載の廃棄物の燃焼装置は、内部に廃棄物を収納する収納部を有する本体と、前記収納部の下方から前記廃棄物を供給する供給手段と、前記本体内に垂下するように回転自在に取り付けられ、先端が前記収納部内に位置する回転体と、この回転体の前記収納部に臨む外側に設けられた複数の開口部と、前記回転体の内部に設けられると共に、前記複数の開口部に連通する空気通路と、この空気通路内に空気を供給する空気供給手段とを備え、前記回転体に取り付けられ、前記収納部に収納された前記廃棄物の上面からの燃焼による燃焼カスを前記収納部から下方へ落とす排出回転羽根と、前記本体内に設けられ、前記排出回転羽根により前記収納部から下方へ落とされた前記燃焼カスを下方へ導く通路と、この通路を介して導かれた前記燃焼カスを前記本体の外へ排出する排出通路とを備え、前記排出回転羽根に目詰まり防止部材を接続し、この目詰まり防止部材を通路内に位置させるものである。
【手続補正４】
【補正対象書類名】明細書
【補正対象項目名】０００６
【補正方法】変更
【補正の内容】
【０００６】
また、請求項２記載の廃棄物の燃焼方法は、収納部に下方から逐次供給する廃棄物を前記廃棄物の上面から燃焼する廃棄物の燃焼方法であって、前記上面からの燃焼による燃焼カスを排出回転羽根で前記収納部から前記収納部の外へ排出して連続的に廃棄物を燃焼させるものであり、前記排出回転羽根に目詰まり防止部材を接続し、この目詰まり防止部材を通路内に位置させるものである。
【手続補正５】
【補正対象書類名】明細書
【補正対象項目名】０００７
【補正方法】変更
【補正の内容】
【０００７】
また、請求項３記載の廃棄物の燃焼装置は、内部に廃棄物を収納する収納部を有する本体と、前記収納部の下方から前記廃棄物を供給する供給手段と、前記本体内に垂下するように回転自在に取り付けられ、先端が前記収納部内に位置する回転体と、この回転体の前記収納部に臨む外側に設けられた複数の開口部と、前記回転体の内部に設けられると共に、前記複数の開口部に連通する空気通路と、この空気通路内に空気を供給する空気供給手段と、前記回転体に取り付けられ、前記収納部に収納された前記廃棄物の上面からの燃焼による燃焼カスを前記収納部から下方へ落とす排出回転羽根と、前記本体内に設けられ、前記排出回転羽根により前記収納部から下方へ落とされた前記燃焼カスを下方へ導く通路と、この通路を介して導かれた前記燃焼カスを前記本体の外へ排出する排出通路とを備え、前記収納部は下方に行くにつれて縮小する形状であり、前記通路は上面が開口し、前記収納部の外側を覆うと共に、前記収納部に沿う覆い部材との間に形成された隙間であり、燃焼カスが前記通路の出口側から搬出通路に導かれ、前記搬出通路は前記通路の下に位置しているものである。
【手続補正６】
【補正対象書類名】明細書
【補正対象項目名】０００８
【補正方法】変更
【補正の内容】
【０００８】
また、請求項４記載の廃棄物の燃焼装置は、内部に廃棄物を収納する収納部を有する本体と、前記収納部の下方から前記廃棄物を供給する供給手段と、前記本体内に垂下するように回転自在に取り付けられ、先端が前記収納部内に位置する回転体と、この回転体の前記収納部に臨む外側に設けられた複数の開口部と、前記回転体の内部に設けられると共に、前記複数の開口部に連通する空気通路と、この空気通路内に空気を供給する空気供給手段と、前記回転体に取り付けられ、前記収納部に収納された前記廃棄物の上面からの燃焼による燃焼カスを前記収納部から下方へ落とす排出回転羽根と、前記本体内に設けられ、前記排出回転羽根により前記収納部から下方へ落とされた前記燃焼カスを下方へ導く通路と、この通路を介して導かれた前記燃焼カスを前記本体の外へ排出する排出通路とを備え、前記通路は、上面が開口すると共に、前記収納部と該収納部の外側を覆う覆い部材との間に形成された隙間であり、前記搬出通路は前記通路の下に位置し、 前記通路の出口側は前記通路の入口側に比べ、勾配が緩やかに形成されて、燃焼カスが前記通路の出口側から搬出通路に導かれているものである。
【手続補正７】
【補正対象書類名】明細書
【補正対象項目名】０００９
【補正方法】変更
【補正の内容】
【０００９】
また、請求項５記載の廃棄物の燃焼装置は、内部に廃棄物を収納する収納部を有する本体と、前記収納部の下方から前記廃棄物を供給する供給手段と、前記本体内に垂下するように回転自在に取り付けられ、先端が前記収納部内に位置する回転体と、この回転体の前記収納部に臨む外側に設けられた複数の開口部と、前記回転体の内部に設けられると共に、前記複数の開口部に連通する空気通路と、この空気通路内に空気を供給する空気供給手段と、前記回転体に取り付けられ、前記収納部に収納された前記廃棄物の上面からの燃焼による燃焼カスを前記収納部から下方へ落とす排出回転羽根と、前記本体内に設けられ、前記排出回転羽根により前記収納部から下方へ落とされた前記燃焼カスを下方へ導く通路と、この通路を介して導かれた前記燃焼カスを前記本体の外へ排出する排出通路とを備え、前記排出回転羽根は、前記収納部の上端縁より上方にあって、前記収納部の上端縁の外側に、前記通路の上面の開口部が位置しているものである。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】変更
【補正の内容】
【００１９】
請求項１記載の廃棄物の燃焼装置によれば、内部に廃棄物を収納する収納部を有する本体と、前記収納部の下方から前記廃棄物を供給する供給手段と、前記本体に垂下するように回転自在に取り付けられ、先端が前記収納部内に位置する回転体と、この回転体の前記収納部に臨む外側に設けられた複数の開口部と、この回転体の内部に設けられると共に、前記複数の開口部に連通する空気通路と、この空気通路内に空気を供給する空気供給手段とを備え、前記回転体に取り付けられ、前記収納部に収納された前記廃棄物の上面からの燃焼による燃焼カスを前記収納部から下方へ落とす排出回転羽根と、前記本体内に設けられ、前記排出回転羽根により前記収納部から下方へ導かれた前記燃焼カスを受け入れ、導く通路と、この通路を介して導かれた前記燃焼カスを前記本体の外へ排出する排出通路とを備えているため、つまり、収納部に下方から逐次供給する廃棄物を前記廃棄物の上面から燃焼する廃棄物の燃焼装置であって、前記上面からの燃焼による燃焼カスを排出回転羽根で前記収納部から前記収納部の外へ排出して、廃棄物を連続的に燃焼させることができ、排出回転羽根に目詰まり防止部材を接続し、この目詰まり防止部材を通路内に位置させるため、通路内へ燃焼カスが詰まるのを防ぐことができる。
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
また、請求項２記載の廃棄物の燃焼方法によれば、収納部に下方から逐次供給する廃棄物を前記廃棄物の上面から燃焼する廃棄物の燃焼方法であって、前記上面からの燃焼による燃焼カスを排出回転羽根で前記収納部から前記収納部の外へ排出するため、廃棄物を連続的に燃焼させることができ、排出回転羽根に目詰まり防止部材を接続し、この目詰まり防止部材を通路内に位置させるため、通路内へ燃焼カスが詰まるのを防ぐことができる。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】変更
【補正の内容】
【００２４】
また、請求項４の廃棄物の燃焼装置によれば、通路は、上面が開口すると共に、収納部と該収納部の外側を覆う覆い部材との間に形成された隙間であり、前記通路の出口側は前記通路の入口側に比べ、勾配が緩やかに形成されているため、燃焼カスが通路の出口側で詰まるのを防ぐことができる。
【手続補正２３】
【補正対象書類名】明細書
【補正対象項目名】００２６
【補正方法】変更
【補正の内容】
【００２６】
本発明の一実施例の廃棄物の燃焼装置及び廃棄物の燃焼方法を図面（図１乃至図５）を参照して説明する。